(57)【要約】【課題】　従来の蒸気分配デバイスののようなデバイスは、壁コンセントに差し込む場合に比較的目立つことが一般的である。従って、家の全体の空気について訪問者の心に不適切な推定を生じさせ得る。【解決手段】　蒸気分配または他の環境変更装置が目立たない態様でレセプタクルと統合するように構成される。本発明の実施形態によると、環境変更装置は、コンセントパターンを有する電気レセプタクルを模倣するように構成される。この環境変更装置は、電気レセプタクルのコンセントパターンに実質的に対応するコンセントパターン、および電気レセプタクルと接続するように構成されたプラグを含む正面の表面を有する。１つ以上の特性を改変するように構成されたデバイスが正面の表面とプラグパターンとの間に配置される。これらの特性は、例えば、芳香蒸気密度、殺虫蒸気密度、周辺光強度、イオン化された空気含有量、超音波強度等を含む。【選択図】　なし【特許請求の範囲】
【請求項１】
　電気レセプタクルを模倣するように構成された環境変更装置であって、該電気レセプタクルは、第１のコンセントパターンを有し、該装置は、
　該第１のコンセントパターンに実質的に対応する第２のコンセントパターンを有する正面の表面と、
　該第１のコンセントパターンに実質的に対応するプラグパターンと、
　該正面の表面と該プラグパターンとの間に配置されたデバイスとを含み、該デバイスは、該環境の特性を改変するように構成され、該特性は、芳香蒸気密度、殺虫蒸気密度、周辺光強度、イオン化された空気含有量、および超音波強度からなる群から選択される、電気レセプタクルを模倣するように構成された環境変更装置。
【請求項２】
　前記デバイスは、受動デバイスである、請求項１に記載の装置。
【請求項３】
　前記デバイスは、能動デバイスである、請求項１に記載の装置。
【請求項４】
　前記正面の表面と前記プラグパターンとの間に供給された再充填コンポーネントをさらに含む、請求項１に記載の装置。
【請求項５】
　電気レセプタクルに接続するように構成された蒸気分配デバイスであって、
　厚さｔだけ離れた正面の表面および背面の表面を有する筐体であって、該背面の表面は、短径寸法ｘおよび長径寸法ｙを有する、筐体と、
　該筐体の該正面の表面上に設けられ、内部コンセント間の距離ｄだけ離れている、第１のデバイスコンセントおよび第２のデバイスコンセントであって、
　　ｘ／ｄは、約２．０〜２．５であり、
　　ｙ／ｄは、約３．０〜３．５であり、
　　ｔ／ｄは、約０．５〜１．０である、
　第１のデバイスコンセントおよび第２のデバイスコンセントと、
　該電気レセプタクルに接続するために該筐体の該背面の表面から延びているプラグであって、該プラグは、該第１および第２のデバイスコンセントの内の少なくとも１つに電気的に接続される、プラグと
　を含む、電気レセプタクルに接続するように構成された蒸気分配デバイス。
【請求項６】
　前記デバイスは、受動デバイスである、請求項５に記載の蒸気分配デバイス。
【請求項７】
　前記デバイスは、能動デバイスである、請求項５に記載の蒸気分配デバイス。
【請求項８】
　前記正面の表面と前記プラグパターンとの間に供給された再充填コンポーネントをさらに含む、請求項５に記載の蒸気分配デバイス。
【請求項９】
　電気レセプタクルに接続するように構成された蒸気分配デバイスと共に用いるための再充填コンポーネントであって、該蒸気分配デバイスは、厚さｔだけ離れた、正面の表面および背面の表面を有する筐体を有し、該背面の表面は、短径寸法ｘおよび長径寸法ｙを有し、第１のデバイスコンセントおよび第２のデバイスコンセントは、該筐体の正面の表面に設けられ、該第１および第２のデバイスコンセントは、内部コンセント距離ｄだけ離れ、プラグは、該電気レセプタクルへの接続のために該筐体の該背面の表面から延び、該再充填コンポーネントは、
　ｔ未満の厚さを有し、ｘ／ｄは、約２．０〜２．５であり、ｙ／ｄは、約３．０〜３．５であり、ｔ／ｄは、約０．５〜１．０であり、該蒸気分配デバイスに除去可能に接続される該再充填本体を含む、再充填コンポーネント。
【請求項１０】
　前記再充填コンポーネントは、前記第１のコンセントおよび第２のコンセントを少なくとも部分的に取り囲む、請求項９に記載の再充填コンポーネント。
【請求項１１】
　前記再充填コンポーネントは、概して「Ｕ」型である、請求項９に記載の再充填コンポーネント。
【請求項１２】
　前記再充填コンポーネントは、前記環境変更装置にスライド可能に取り付けるように構成される、請求項９に記載の再充填コンポーネント。
【請求項１３】
　前記再充填コンポーネントは、矩形リングである、請求項９に記載の再充填コンポーネント。
【発明の詳細な説明】
【技術分野】
【０００１】
　本発明は、概して蒸気分配デバイスに関し、具体的には、目立たない態様でレセプタクルと統合する蒸気分配デバイスに関する。
【背景技術】
【０００２】
　環境変更タスクのいくつかのタイプを実行するために構成されたシステムのための電源として、利用可能なレセプタクル（例えば従来の家庭用電気コンセント（ｏｕｔｌｅｔ））を使用することがしばしば簡便である。公知の環境変更システムは、例えば、プラグインフレッシュナー（ｆｒｅｓｈｅｎｅｒ）、蒸気分配デバイス、プラグイン超音波防虫デバイス、常夜灯、イオナイザー等を含む。
【発明の開示】
【発明が解決しようとする課題】
【０００３】
　従来の壁コンセントの場所および接触性、ならびに公知の蒸気分配デバイスの大きさおよび形状により、このようなデバイスは、壁コンセントに差し込む場合に比較的目立つことが一般的である。例えば、これは、家の全体の空気について訪問者の心に不適切な推定を生じさせ得る。
【０００４】
　従って、いくつかの例では、蒸気分配デバイスがその環境内に統合または融合する程度を高めることが望ましくあり得る。一般的に、目立たなさのレベルは、デバイスの全体の幾何学的形状およびそのデバイスが接続される壁および／またはレセプタクルと接触する態様に関係付けられる。
【０００５】
　この美観的な目立たなさに加えて、向上された機能的な目立たなさを環境変更装置に提供することも有利である。すなわち、そのレセプタクルの機能的特長へのユーザのアクセスを除去、低減、または他の場合では、変更する蒸気分配デバイスの必要性がある。プラグインフレッシュナーの場合、例えば、全てまたはほとんどのレセプタクルのコンセントへのアクセスが実質的に保持されるフレッシュナーを提供することが有利である。
【課題を解決するための手段】
【０００６】
　概して本発明は、目立たない態様でその環境と統合するように構成された蒸気分散デバイスまたは他の環境変更装置を提供する。この装置は、例えば、環境の１つ以上のコンポーネント（例えば壁または他の表面）を融合することによって、レセプタクルの全てまたは一部を被覆または他の場合は閉塞することによって、および／または環境変更デバイス以外のあるデバイスを出現させることによって等の複数の態様でこの目立たなさを達成し得る。
【０００７】
　この環境変更デバイスがその環境に融合し得る１つの方法は、その筺体外周に直交かつ貫通する断面が、正面から電気レセプタクルの全周外部の壁までの融合輪郭を規定するように構成された筺体を含ませることによるものである。
【０００８】
　デバイスがその環境と融合することを達成し得る別の方法は、そのデバイスが設置されるべき環境と整合するか、または他の場合では、この環境と課題的に一致する色、構造、および／または形状を示すことによるものである。
【０００９】
　環境変更デバイスがその環境と融合し得るさらに別の方法は、レセプタクルの近傍における壁または他の表面と接触させることによるものである。例えば、一実施形態では、デバイスは、レセプタクルと接触する場合、レセプタクルの表面板の外周外部の壁と接触させる筐体の外周上に少なくとも２つの対心点を有する筐体を含む。
【００１０】
　本発明のさらなる局面に従って、蒸気分配デバイスは、内部コンセント寸法または１つ以上の他の適切な寸法の点から規格化された低プロファイルを示すことによってその環境に融合する。
【００１１】
　この環境変更デバイスはまた、複数の異なる態様で電気レセプタクルを全体的にまたは部分的に被覆するように構成され得る。本発明の一実施形態に従って、例えば、デバイスは、蒸気分配デバイスが電気レセプタクルに接続される場合、筐体の全周が実質的に電気レセプタクルの表面板の外周を含む筐体を含み得る。
【００１２】
　本発明のさらなる局面によると、蒸気分配デバイスは、筐体の縦横比がレセプタクルの表面板の縦横比と実質的に同様であり、筐体の中心が表面板の中心と実質的に一致する筐体を含むことによってレセプタクルを被覆する。
【００１３】
　本発明の別の局面によると、目立たなさは、環境変更デバイス以外のあるデバイスであるかのように環境変更デバイスを構成することによって達成される。
【００１４】
　本発明の一実施形態に従って、例えば、環境変更装置は、コンセントパターンを有する電気レセプタクルを模倣するように構成される。この環境変更装置は、電気レセプタクルのコンセントパターンに実質的に対応するコンセントパターンを含む正面の表面、および電気レセプタクルと接続するように構成されたプラグを有する。１つ以上の環境の特性を改変するように構成されたデバイスは、表面とプラグパターンとの間に配置される。これらの特性は、例えば、芳香蒸気密度、殺虫剤蒸気密度、周辺光密度、イオン性空気含有量、超音波周波数強度等を含む。
【００１５】
　本発明の主題は、以後添付図面と共に説明される。同様な参照符号は同様な構成要素を示す。
【００１６】
　本発明による環境変更装置は、電気レセプタクルを模倣するように構成された環境変更装置であって、該電気レセプタクルは、第１のコンセントパターンを有し、該装置は、該第１のコンセントパターンに実質的に対応する第２のコンセントパターンを有する正面の表面と、該第１のコンセントパターンに実質的に対応するプラグパターンと、該正面の表面と該プラグパターンとの間に配置されたデバイスとを含み、該デバイスは、該環境の特性を改変するように構成され、該特性は、芳香蒸気密度、殺虫蒸気密度、周辺光強度、イオン化された空気含有量、および超音波強度からなる群から選択される、電気レセプタクルを模倣するように構成され、これにより上記目的を達成する。
【００１７】
　前記デバイスは、受動デバイスであってもよい。
【００１８】
　前記デバイスは、能動デバイスであってもよい。
【００１９】
　前記正面の表面と前記プラグパターンとの間に供給された再充填コンポーネントをさらに含んでもよい。
【００２０】
　本発明による電気レセプタクルに接続するように構成された蒸気分配デバイスは、厚さｔだけ離れた正面の表面および背面の表面を有する筐体であって、該背面の表面は、短径寸法ｘおよび長径寸法ｙを有する、筐体と、該筐体の該正面の表面上に設けられ、内部コンセント間の距離ｄだけ離れている、第１のデバイスコンセントおよび第２のデバイスコンセントであって、ｘ／ｄは、約２．０〜２．５であり、ｙ／ｄは、約３．０〜３．５であり、ｔ／ｄは、約０．５〜１．０である、第１のデバイスコンセントおよび第２のデバイスコンセントと、該電気レセプタクルに接続するために該筐体の該背面の表面から延びているプラグであって、該プラグは、該第１および第２のデバイスコンセントの内の少なくとも１つに電気的に接続される、プラグとを含み、これにより上記目的を達成する。
【００２１】
　前記デバイスは、受動デバイスであってもよい。
【００２２】
　前記デバイスは、能動デバイスであってもよい。
【００２３】
　前記正面の表面と前記プラグパターンとの間に供給された再充填コンポーネントをさらに含んでもよい。
【００２４】
　本発明による再充填コンポーネントは、電気レセプタクルに接続するように構成された蒸気分配デバイスと共に用いるための再充填コンポーネントであって、該蒸気分配デバイスは、厚さｔだけ離れた、正面の表面および背面の表面を有する筐体を有し、該背面の表面は、短径寸法ｘおよび長径寸法ｙを有し、第１のデバイスコンセントおよび第２のデバイスコンセントは、該筐体の正面の表面に設けられ、該第１および第２のデバイスコンセントは、内部コンセント距離ｄだけ離れ、プラグは、該電気レセプタクルへの接続のために該筐体の該背面の表面から延び、該再充填コンポーネントは、再充填コンポーネントは、ｔ未満の厚さを有し、ｘ／ｄは、約２．０〜２．５であり、ｙ／ｄは、約３．０〜３．５であり、ｔ／ｄは、約０．５〜１．０であり、該蒸気分配デバイスに除去可能に接続される該再充填本体を含み、これにより上記目的を達成する。
【００２５】
　前記再充填コンポーネントは、前記第１のコンセントおよび第２のコンセントを少なくとも部分的に取り囲んでもよい。
【００２６】
　前記再充填コンポーネントは、概して「Ｕ」型であってもよい。
【００２７】
　前記再充填コンポーネントは、前記環境変更装置にスライド可能に取り付けるように構成されてもよい。
【００２８】
　前記再充填コンポーネントは、矩形リングであってもよい。
【発明の効果】
【００２９】
　本発明は、目立たない態様でその環境と統合するように構成された蒸気分散デバイスまたは他の環境変更装置を提供する。これにより、家の全体の空気について訪問者の心に不適切な推定を生じさせ得ない。
【発明を実施するための最良の形態】
【００３０】
　概して、本発明によるシステムおよび方法は、例えば、環境の１つ以上のコンポーネントを融合することによって、レセプタクルの全てまたは一部を被覆または他の場合は閉塞することによって、および／または環境変更デバイス以外のあるデバイスであるかのうように目立たない態様でその環境と統合するように構成された蒸気分散デバイスまたは他の環境変更装置を提供する。
【００３１】
　図１を参照すると、概して、本発明による環境変更装置１００は、環境１３０内のレセプタクル１２０と接続する。環境変更装置１００は、任意の適切なコンポーネントまたはいくつかの態様（例えば、その芳香蒸気密度の変更、殺虫剤の分配、光源の提供、周辺空気のイオン化、および／または超音波源の提供によって）で環境１３０を変更させるように構成されたコンポーネントを含む。この点については、用語「蒸気分配デバイス」は、一般性を失うことなく、本明細書中で環境変更装置を指すために使用され得る。当業者は、本発明がそのように限定されないことを理解する。
【００３２】
　環境１３０は、任意の規定された空間に対応し、１つ以上の表面、壁、天井、床、または他の個体または架空の境界によって開放されるかまたは囲まれることにより、蒸発した物質を受け取る。例えば、環境１３０は、居住室（寝室、浴室、キッチンなど）、商業空間（工場フロア、オフィス室等）、自動車エンクロージャ（車、トラック、レクレーショナルビークル）、航空機区画、または蒸気を送達するために望ましい任意の他の空間に対応し得る。
【００３３】
　本発明の実施形態に従って、環境変更装置は、環境変更装置以外のある装置である外観を与えるように構成される。例えば、環境変更装置は、コンセントパターンを有する電気レセプタクルを模倣するように構成され得る。この実施形態では、環境変更装置は、レセプタクルのコンセントパターンに実質的に対応するコンセントパターンを含む正面、および電気レセプタクルと接続するように構成されたプラグを有する。
【００３４】
　例えば、ここで図２を参照すると、蒸気分配デバイス１００は、コンセントパターン２０６に対応する１つ以上のプラグ（または他の接続構造）２０４を介してレセプタクル１２０と接続する。蒸気分配デバイス１００は、レセプタクル１２０のコンセントパターン２０６に実質的に対応するコンセントパターン２０２を含む正面の表面２０４（平面であっても平面でなくてもよい）を有する。従って、蒸気分散デバイス１００は、一般的には、レセプタクル１２０に除去可能に取り付けられるように構成される。
【００３５】
　その環境の１つ以上の特性を修正するために構成されたデバイス２１０は、正面の表面２０４とプラグパターン２０４との間に（および／またはこれらの側面に）適切に配置される。デバイス２１０によって修正された環境特性は、例えば、芳香蒸気密度、殺虫剤蒸気密度、周辺光密度、イオン化された空気の密度、超音波周波数強度等を含む。デバイス２１０が香料送達デバイスに対応する実施形態では、これは、ある場所から別の場所（例えば、貯蔵器から蒸発パッドまたはエミネータ（ｅｍｉｎａｔｏｒ））に揮発可能物質を輸送するための手段を提供する１つ以上のコンポーネント（例えば、ウイック、毛管等）、ならびに／あるいはある表面、または輸送された物質が環境１２０に質量輸送または蒸発される表面を提供する１つ以上のコンポーネント（エミネータパッド、二次ウイック等）をさらに含む。
【００３６】
　レセプタクル１２０が電気パワーコンセントに対応する実施形態では、香料送達デバイスによって必要とされた任意の電気機能性を提供するために電源を利用することが有利である。例えば、香料送達デバイスは、１つ以上のエミネータ、または揮発可能物質がその環境に蒸発する速度を制御するように設計された加熱素子を含み得る。このような場合、送達デバイス２１０は、種々の端子、ワイヤ、導電トレース、プラグ、ならびに、レセプタクル１２０への接続およびパワー送達を容易にする他のこのようなコンポーネントを含み得る。例えば、特定の好適な実施形態では、送達デバイス２１０は、揮発可能物質と連絡するエミネータパッドまたはウイックに熱的に結合される抵抗性加熱素子を含む。
【００３７】
　図２の蒸気分配デバイス１００は、一般的には断面方向に直線的に示されるが、実際には、任意の形状を有する、任意の数の目立たないまたは統合された筐体を含んでもよい。さらに、本発明によると、蒸気分配デバイス１００は、レセプタクルの１２０の幾何学的形状の大きさまたは形状と同様の幾何学的形状またはレセプタクル１２０と共に提供された任意の表面板を示すことが必要ではない。すなわち、図３に示されたように、目立たない蒸気分配デバイス１００は、実際にはレセプタクル１２０よりも小さくてもよい（例えば、プラグパターン２０４のサイズのオーダーで）。同様に、図４に示されるように、蒸気分配デバイスは、レセプタクル１２０および／またはレセプタクル１２０に設けられた任意のプラグパターン２０６に関して対称的であってもよい。例えば、図４に示されるように、正面２０４のより低い境界は、レセプタクル１２０より下（または上）に延びてもよい。
【００３８】
　図５は、１つ以上のコンセント５０４に沿った外部境界および／または平面板５０２を含むレセプタクル１２０のための一般的な構成を示す。コンセント５０４は、任意の適切な形状を提示し得、雄、雌、または他の接続タイプの任意の適切な組み合わせを含み得る。例えば、ここで図６を参照すると、レセプタクル１２０は、２ピンコンセント５０４の対および平面板５０２を含む従来のデュアルコンセントパワーレセプタクルからなり得る。同様に、図７を参照すると、レセプタクル１２０は、４つの２ピンコンセント５０４および平面板５０２を含む従来の矩形コンセントパワーレセプタブルからなり得る。図８は、本発明が利用され得るさらなる標準的なレセプタクル設計の表を示す。本発明が漏電遮断（ＧＦＩ）電気コンセントと共に使用され得ることに留意されたい。
【００３９】
　本発明は、電気レセプタクルに制限されないことが理解される。実際には、レセプタクル１２０は、電気、データ、または任意の他のパワーおよび／または情報源を、適切な接続を介して蒸気分配デバイス１００に提供するように構成された任意の適切な構造を含み得る。例えば、適切なレセプタクルは、高速データ伝送（およびアナログ電話通信）と接続して使用されたＲＪ−１１およびＲＪ−４５ジャック、電気および光ケーブルネットワークと接続して使用された同軸コネクタ、ならびに現在公知のまたは将来開発される任意の他のレセプタクル設計を含む。
【００４０】
　レセプタクル１２０の性質（すなわち、レセプタクル１２０が電流を供給するように構成されるかどうかおよびどの程度供給するか）にもかかわらず、送達デバイス２１０は、受動的であるか、能動的であるか、または能動および受動モード間で選択的にスイッチングされ得る。送達デバイスに適用される場合、本明細書中の意味における用語「受動的」は、香料を送達するか、または他の場合では環境の改変を生じさせる周辺条件に実質的に依存するこれらのデバイスを指す。例えば、このような周辺条件は、周辺温度条件（例えば、壁の表面温度および空気温度）ならびに周辺空気流（例えば、自由な対流およびもしあればファンの運動、人物、ならびに環境内の他の要素から生じる空気流）を含む。本明細書中の意味における用語「能動的」は、受動的ではないデバイス（例えば統合されたファン、加熱素子、および他のこのようなデバイス）を指す。
【００４１】
　送達デバイス２１０が能動デバイスである場合、デバイスによって必要とされた任意の電源は、レセプタクル１２０に対して内部にあってもよいし（例えば、標準的な壁コンセントの１２０Ｖ電源）、レセプタクル１２０に対して外部にあってもよい（例えば、バッテリ、太陽電池、あるいは送達デバイス２１０に組み込まれるかまたは他の場合送達デバイス２１０に関連付けられた他のこのようなデバイスによって供給される）。あるいは、電力は、内部および外部電源の組み合わせによって供給され得、および／または以下にさらに詳細に説明されたように、再充填コンポーネントに組み込まれ得る。
【００４２】
　蒸気分配デバイス以外のあるデバイスのように見えるという目標を達成するために、デバイスは、電気レセプタクルだけでなく、ターゲットの環境に典型的に出現し得る任意の数の他の物体を模倣するように設計され得る。例えば、蒸気分配デバイスは、壁スイッチ、マルチコンセントパワーストリップ、常夜灯、または任意の他の適切な物体を模倣することによって構成され得る。
【００４３】
　上述のように、環境変更デバイスを目立たなくすることはまた、そのデバイスが環境に融合するようにデバイスを構成することによって達成され得る。例えば、筐体の全周に対して直行かつ貫通する断面が、正面の表面から電気レセプタクルの全周の外部にある壁までの融合輪郭を規定するように構成された筐体を含むことによって、この融合が達成され得る。
【００４４】
　例えば、図９を参照すると、レセプタクル１２０は、示されたように矩形であっても矩形でなくてもよい平面板５０２を含む。一般的には、平面板５０２は、壁９０４と一致するかまたは同一平面である（ｆｌｕｓｈ　ｗｉｔｈ）。筐体９０５は、示されたように断面「Ａ」によって特長付けられた全周９０２（矩形である必要がなく、平面板５０２の形状に一致する必要がない）を有し、この断面は、壁９０４に対して融合輪郭を規定することにより、さらなる目立たなさを提供する。より詳細には、図１０に示された６つの例示的な断面と共に図９を参照すると、筐体９０５の全周９０２付近の断面１０００は、正面１００２と壁９０４との間の融合輪郭を形成する。一般的には、融合輪郭１０００は、筐体９０５の正面１００２から壁９０４付近またはこれと接触する終端１００４まで延びる連続的曲線を形成する（しかし、滑らかまたは微分可能（ｄｉｆｆｅｒｅｎｔｉａｂｌｅ）な曲線である必要はない）。図１０に示された例示的形状が、本発明に従って使用され得る融合輪郭形状の範囲を排除しないことが理解される。
【００４５】
　本発明のさらなる局面に従って、蒸気分配デバイスは、筐体を含むことによってその環境に融合する。そのデバイスがレセプタクルに接続される場合、筐体の全周上の少なくとも２つの対心点（ａｎｔｉｐｏｄａｌ）がレセプタクルの正面の表面の外周外部の壁と接触させる。
【００４６】
　図１３を参照すると、筐体全周１１０２の反対側上の少なくとも２つの点が平面板外周５０２の外部の壁９０４と接触させるように、筐体全周１１０２が構成される。例えば、筐体全周１１０２が以下の点の１つ以上の対（点１３０２および１３０４、点１３０６および１３０８、ならびに点１３１０および１３１２）において壁９０４と接触させ得る。用語「点」は、場所の意味で使用され、小さな環状の接触点に対応する必要はない。すなわち、実際には、任意の接触領域（または密接に配置された領域）は、「点」が本実施形態で使用されるものとして考えられ得る。
【００４７】
　本発明のさらなる局面に従って、蒸発分配デバイスは、低プロファイル寸法を有する。より詳細には、図１４を参照すると、例示的蒸気分配デバイス１００は、厚さｔだけ離れた正面の表面１４０４および背面の表面１４０６を有する筐体１４０２を含み、背面の表面１４０６は、短径寸法ｘおよび長径寸法ｙを有する。第１のデバイスコンセント１４１０および第２のデバイスコンセント１４１２は、筐体１４０２の正面の表面１４０４上に設けられる。デバイスコンセント（１４１０および１４１２）は、内部コンセント距離ｄだけ離れている。ｘ／ｄは約２．０〜２．５、好ましくは約２．１２５であり、ｙ／ｄは約３．０〜３．５、好ましくは約３．２５であり、ｔ／ｄは約０．５〜１．０、好ましくは約０．６２５である。本発明の別のさらなる局面では、厚さｔは、長径寸法ｙの約２０％未満である。
【００４８】
　この環境と融合する目標を達成するためには、任意の数のデバイスの他の特性は、環境の１つ以上の特性と整合させるか、または特性と熱的に一致するように設計され得る。例えば、デバイスの色、風合い、および／または幾何学的形状は、壁、家具、または環境の他のコンポーネントと良好に融合させるように選択され得る。
【００４９】
　環境変更デバイスを目立たなくすることもまた、そのデバイスがレセプタクルの全てまたは一部を覆うようにこのデバイスを構成することによって達成され得る。例えば、本発明の位置局面によると、環境変更デバイスが電気レセプタクルに接続される場合に、蒸気分配デバイスは、筐体の全周が電気レセプタクルの表面板の全周を実質的に囲む筐体を含むことによってレセプタクルを実質的に被覆する。
【００５０】
　より詳細には、図１１に示された４つの例示的構成を参照すると、平面板全周５０２（または、あるいは、レセプタクル全周）は、筐体全周１１０２によって実質的に含まれる。すなわち、筐体全周１１０２は、全周５０２上の全ての点が筐体全周１１０２によって規定された領域内部に含まれるように（図１１（ａ）および１１（ｂ）に示されるように）、あるいは平面板全周５０２の一部が、筐体全周１１０２（図１１（ｂ）および１１（ｃ）に示されるように）の境界にあるように、平面板全周５０２を十分含み得る。図１１に示された例示的な平面板および筐体が一般的には矩形であり、一般的には互いに対応するが、この平面板および筐体は、任意の種々の形状を有し得、一般的には、その形状が互いに対応する必要がない。例えば、平面板全周５０２が矩形であり得る一方で、筐体全周１１０２が円形または楕円形であり得る。本発明のさらなる局面によると、蒸気分配デバイスは、筐体の縦横比がレセプタクルの平面板の縦横比と実質的に同様であり、その筐体の中心が実質的に平面板の中心と一致するような筐体を含む。
【００５１】
　送達デバイス２１０は、１つ以上の除去可能に取り付けられた再充填コンポーネントを適切に含む。すなわち、図１５Ａ〜１５Ｃを参照すると、その送達デバイス自体に統合されるコンポーネント、およびユーザによって置換され得る１つ以上のより多くの再充填コンポーネント１５０２（または単に「再充填」）を含むことが有利である。例えば、送達デバイス２１０がフレッシュナーデバイスである場合、消費された再充填コンポーネント１５０２は、デバイス２１０から除去され得、香料オイル、ワックス、ゲル等を含む新しい再充填によって置換され得る。この再充填は、再充填本体および再充填本体に供給される揮発可能な物質を適切に含む。
【００５２】
　本発明の一局面によると、再充填コンポーネントが設けられることにより、蒸発分配デバイスが電気レセプタクルを模倣することを可能にする。例えば、再充填本体に供給された揮発性物質を有する再充填本体を含む再充填コンポーネントは、正面の表面によって実質的に隠されるようにデバイスの正面の表面の背後に挿入されるように構成され得る。本発明の一局面によると、この再充填は、筐体の全周によって囲まれる全周を有する。
【００５３】
　本発明の別の局面に従って、再充填がレセプタクルのコンセントパターン５０４を実質的に妨げないように再充填が構成される。例えば、一実施形態では、少なくとも部分的にレセプタクル上の１つ以上のコンセントを少なくとも部分的に取り囲む再充填コンポーネント１５０２を設けることによって達成される（図１５Ａ〜１５Ｃに種々に示される）。送達デバイスが標準的な電気レセプタクルと共に使用される場合、再充填１５０２が２つ以上のコンセントパターンを含むことが望ましい（図１５Ａ）。揮発可能材料の最大可能量を供給することが有利である範囲まで、再充填はコンセントパターン５０４を完全に取り囲む矩形リングとして構成され得る（図１５Ｂ）。あるいは、再充填１５０２は、「Ｕ」型で構成され、デバイスからスライド可能に除去されることを可能にし得る（図１５Ｃ）。
【００５４】
　図１２を参照すると、平面板全周５０２は、中心（または重心）１２０２、高さ寸法ｈ、および長さ寸法ｌによって特徴付けられる。同様に、筐体全周１１０２は、中心（または重心）１２０４、高さ寸法Ｈ、および長さ寸法Ｌによって特徴付けられる。平面板全周５０２は、Ｈ／Ｌとして定義された縦横比を有し、筐体全周１１０２は、ｈ／ｌとして定義された縦横比を有する。本発明の一局面によると、中心１２０２は、中心１２０４に実質的に一致する。本発明のさらに別の局面によると、平面板全周５０２の縦横比は、筐体全周１１０２の縦横比に実質的に等しい。例えば、一実施形態では、平面板の縦横比は、標準的なデュアルコンセント平面板の縦横比に実質的に等しい（例えば、１．３〜１．７、好ましくは約１．５である）。縦横比が各平面板および筐体の形状に依存して、任意の簡便な事項において定義され得ることが理解される。
【００５５】
　本発明が添付の図面と共に本明細書中で説明されてきたが、当業者は、本発明の範囲がそのように限定されないことを理解する。本明細書中で説明された種々のコンポーネントおよびステップの選択、設計、および構成の改変が本発明の範囲から逸脱することなくなされ得る。
【００５６】
　蒸気分配または他の環境変更装置が目立たない態様でレセプタクルと統合するように構成される。本発明の実施形態によると、環境変更装置は、コンセントパターンを有する電気レセプタクルを模倣するように構成される。この環境変更装置は、電気レセプタクルのコンセントパターンに実質的に対応するコンセントパターン、および電気レセプタクルと接続するように構成されたプラグを含む正面の表面を有する。１つ以上の特性を改変するように構成されたデバイスが正面の表面とプラグパターンとの間に配置される。これらの特性は、例えば、芳香蒸気密度、殺虫蒸気密度、周辺光強度、イオン化された空気含有量、超音波強度等を含む。
【図面の簡単な説明】
【００５７】
【図１】図１は、本発明が実施され得る意味内容を提供するシステムの概略図である。
【図２】図２は、本発明による蒸気分配デバイスおよびレセプタクルの概略的な側面図を示す。
【図３】図３は、本発明の別の実施形態による蒸気分配デバイスおよびレセプタクルの概略的側面図を示す。
【図４】図４は、本発明のさらに別の実施形態による蒸気分散デバイスおよびレセプタクルの概略的側面図を示す。
【図５】図５は、複数のコンセントを有する例示的なレセプタクルの概略的正面図である。
【図６】図６は、従来のデュアルコンセントレセプタクルを示す。
【図７】図７は、従来の矩形コンセントレセプタクルを示す。
【図８】図８は、種々の例示的なレセプタクルおよびコンセント構成を示す。
【図９】図９は、例示的な蒸気分散デバイスを概略的に示す。
【図１０】図１０は、融合輪郭を規定する種々の断面図を示す。
【図１１】図１１は、レセプタクルに関する蒸気分散デバイス幾何学的形状の種々の構成を示す。
【図１２】図１２は、例示的蒸気分散デバイス幾何学的形状を示す。
【図１３】図１３は、例示的蒸気分散デバイス対称性を示す。
【図１４】図１４は、例示的蒸気分散デバイス幾何学的形状を示す等角図である。
【図１５Ａ】図１５Ａは、本発明の一局面による種々の再充填形状を示す。
【図１５Ｂ】図１５Ｂは、本発明の一局面による種々の再充填形状を示す。
【図１５Ｃ】図１５Ｃは、本発明の一局面による種々の再充填形状を示す。
【符号の説明】
【００５８】
　１００　環境変更装置
　１２０　レセプタクル
　１３０　環境
　２１０　送達デバイス
　５０２　平面板
　５０４　コンセント
　９０４　壁
　９０５　筐体
　１１０２　筐体全周
【図１】
2004108762.tif 000002
【図２】
2004108762.tif 000003
【図３】
2004108762.tif 000004
【図４】
2004108762.tif 000005
【図５】
2004108762.tif 000006
【図６】
2004108762.tif 000007
【図７】
2004108762.tif 000008
【図８】
2004108762.tif 000009
【図９】
2004108762.tif 000010
【図１０】
2004108762.tif 000011
【図１１】
2004108762.tif 000012
【図１２】
2004108762.tif 000013
【図１３】
2004108762.tif 000014
【図１４】
2004108762.tif 000015
【図１５Ａ】
2004108762.tif 000016
【図１５Ｂ】
2004108762.tif 000017
【図１５Ｃ】
2004108762.tif 000018